(57)【要約】【課題】利用者の健康状態や健康学習の意欲に応じて自己学習に関するコンテンツの提供と情報発信、健康に関する相談や支援が可能な健康学習支援システムを提供すること。【解決手段】健康に関するデータを利用者端末２より通信ネットワークを介して受信し、受信されたデータを蓄積する蓄積データベース３２と、蓄積されたデータを加工する演算加工部３３と、蓄積データベースに蓄積されたデータまたは演算加工部３３で加工されたデータに基づいて利用者１の健康状態を検査する検査部３７と、健康状態に応じて健康コンテンツを作成するコンテンツ作成部４１と、作成された健康コンテンツに対する利用者１の利用状況を調査する利用状況調査部４２と、作成された健康コンテンツを利用者に通信ネットワークを介して送信する送受信部３１を備えることにより、健康コンテンツの学習支援を可能する。【選択図】図２
2006308706.tif 000002
【特許請求の範囲】
【請求項１】
利用者が所有する端末より入力された健康に関するデータを通信ネットワークを介して受信する受信手段と、前記受信手段で受信された前記データを蓄積する蓄積手段と、前記蓄積手段に蓄積された前記データを加工する加工手段と、前記蓄積手段に蓄積された前記データまたは前記加工手段で加工された前記データに基づいて前記利用者の健康状態を検査する検査手段と、前記利用者の健康状態に応じて健康に関する健康コンテンツを作成するコンテンツ作成手段と、前記コンテンツ作成手段で作成された前記健康コンテンツに対する前記利用者の利用状況を調査する利用状況調査手段と、前記コンテンツ作成手段で作成された前記健康コンテンツを前記利用者に前記通信ネットワークを介して送信する送信手段とを備え、前記健康コンテンツの内容を学習させることを特徴とする健康学習支援システム。
【請求項２】
前記健康に関する健康コンテンツが、健康増進、健康回復、体力向上および健康学習に関するコンテンツであって、前記コンテンツ作成手段は、前記利用者状況調査手段の調査結果と前記健康増進、前記健康回復および前記体力向上に関するコンテンツを蓄積したコンテンツデータベースと、前記健康学習に関するコンテンツを蓄積した教育データベースに基づいて、前記健康コンテンツを、前記利用者の健康状態が所定の段階に達するまで繰り返し作成することを特徴とする請求項１記載の健康学習支援システム。
【請求項３】
前記蓄積手段に蓄積されたデータまたは前記加工手段で加工されたデータを必要に応じて外部の機関に転送する外部転送手段を備えたことを特徴とする請求項１から請求項２までのうちのいずれかに記載の健康学習支援システム。
【請求項４】
前記検査手段は、前記蓄積手段に蓄積されたデータまたは前記加工手段で加工されたデータと予め定められたデータとの比較を行うことを特徴とする請求項１から請求項３までのうちのいずれかに記載の健康学習支援システム。
【請求項５】
利用者の健康学習支援を行う健康増進事業者サーバと、前記健康増進事業者サーバとは異なる場所で前記利用者が所有する健康に関するデータを入力する端末手段とからなり、前記健康増進事業者サーバは、前記端末手段から入力された前記健康に関するデータを通信ネットワークを介して受信する受信手段と、前記受信手段で受信された前記データを蓄積する蓄積手段と、前記蓄積手段に蓄積された前記データを加工する加工手段と、前記蓄積手段に蓄積された前記データまたは前記加工手段で加工された前記データに基づいて前記利用者の健康状態を検査する検査手段と、前記利用者の健康状態に応じて健康に関する健康コンテンツを作成するコンテンツ作成手段と、前記コンテンツ作成手段で作成された前記健康コンテンツに対する前記利用者の利用状況を調査する利用状況調査手段と、前記コンテンツ作成手段で作成された前記健康コンテンツを前記利用者に前記通信ネットワークを介して送信する送信手段とを備えたことを特徴とする健康学習支援システム。
【請求項６】
前記健康増進事業者サーバは、前記利用者が前記健康コンテンツを実行する際に健康関連事業機関の情報が参考になる場合に、前記検査手段での検査結果を前記健康関連事業機関システムに送信する健康関連事業機関送信手段を備えたことを特徴とする請求項５記載の健康学習支援システム。
【請求項７】
前記蓄積手段に蓄積されたデータまたは前記加工手段で加工されたデータを必要に応じて外部機関のサーバに転送する外部転送手段を備えたことを特徴とする請求項５記載の健康学習支援システム。
【発明の詳細な説明】
【技術分野】
【０００１】
本発明は、地上デジタルテレビ放送の双方向機能または通信ネットワークを用いて、利用者の健康状態と健康学習意欲に応じたコンテンツの提供により、利用者の健康増進、健康回復、体力向上、健康学習などを支援する健康学習支援システムに関するものである。
【背景技術】
【０００２】
従来のネットワークを用いた健康管理システムは、インターネットなどのネットワークにより、利用者と検査機関と診断機関と健康管理センターのそれぞれの端末が接続され、健康管理センターに提供された利用者の健康管理状態情報に基づいて検査機関および診断機関で健康チェックおよびその分析が自動的に行われ、その分析結果および助言などが利用者の健康管理データとして健康管理センターに記録および表示されるとともに、暗証番号が一致した利用者のみが分析結果および助言などを閲覧できるものである（例えば、特許文献１参照）。
【０００３】
また、従来のデータ放送を用いた健康情報提供システムは、放送局からデータ放送処理装置で利用者の健康状態を把握するためのデータ放送を放送し、対象家庭のデジタルテレビ受信機でそのデータ放送を受信する。利用者は、テレビリモコンを操作してデータ放送の質問に答え、その回答データは通信ネットワークを介して収集され、分析された後に利用者の健康状態情報として遠隔地にいる契約者に電子メールなどで伝えられるものである（例えば、特許文献２参照）。
【特許文献１】特開２００２−７５６６号公報
【特許文献２】特開２００５−８０２７０号公報
【発明の開示】
【発明が解決しようとする課題】
【０００４】
しかしながら、従来の特許文献１に記載された健康管理システムは、健康管理センターに提供された利用者の健康管理状態情報に基づいて検査機関および診断機関で健康チェックおよびその分析を行ない、その分析結果および助言などが利用者の健康管理データとして健康管理センターに記録および表示され、利用者のみが分析結果および助言などを閲覧できるものであり、利用者に提供される助言は一般的で、しかも一方的な助言で、利用者の日常の行動や嗜好などに合致していない。従って利用者はこの助言通りに行動することが難しく長続きしないという課題があった。
【０００５】
また、従来の特許文献２に記載された健康情報提供システムは、健康状態を把握するための質問に対する回答より利用者の健康状態を把握し、利用者の遠隔地に居住する契約者または利用者に提供するもので、現状の分析結果の提供のみであり、利用者が健康増進、健康回復、体力向上、健康学習などのために何をなすべきかなどのコンテンツは提供されない。
【０００６】
本発明は、このような従来の問題を解決するためになされたもので、利用者の健康状態を検査し、利用者の健康状態、ライフスタイル、嗜好、願望などに応じて健康増進、健康回復、体力向上、利用者一人一人の地域で行われるイベント、講演会などの情報などに関するコンテンツや利用者の健康学習の意欲に応じて自己学習に関するコンテンツを作成し、利用者に提供すると共に、専門家による健康に関する相談や支援が行なえることのできる健康学習支援システムを提供することを目的とする。
【課題を解決するための手段】
【０００７】
本発明の健康学習支援システムは、利用者が所有する端末より入力された健康に関するデータを通信ネットワークを介して受信する受信手段と、受信手段で受信されたデータを蓄積する蓄積手段と、蓄積手段に蓄積されたデータを加工する加工手段と、蓄積手段に蓄積されたデータまたは加工手段で加工されたデータに基づいて利用者の健康状態を検査する検査手段と、利用者の健康状態に応じて健康に関する健康コンテンツを作成するコンテンツ作成手段と、コンテンツ作成手段で作成された健康コンテンツに対する利用者の利用状況を調査する利用状況調査手段と、コンテンツ作成手段で作成された健康コンテンツを利用者に通信ネットワークを介して送信する送信手段とを備え、前記健康コンテンツの内容を学習させる。
【０００８】
この構成により、利用者一人一人の健康状態、ライフスタイル、嗜好、願望、学習意欲などに基づいた最適な健康コンテンツが作成され、利用者に提供できる。
【０００９】
また、本発明の健康学習支援システムは、健康に関する健康コンテンツが、健康増進、健康回復、体力向上および健康学習に関するコンテンツであって、コンテンツ作成手段は、利用者状況調査手段の調査結果と健康増進、健康回復および体力向上に関するコンテンツを蓄積したコンテンツデータベースと、健康学習に関するコンテンツを蓄積した教育データベースに基づいて、健康コンテンツを、利用者の健康状態が所定の段階に達するまで繰り返し作成する構成を有している。
【００１０】
この構成により、調査結果を反映したより適切なコンテンツを利用者に提供できる。
【００１１】
また、本発明の健康学習支援システムは、蓄積手段に蓄積されたデータまたは加工手段で加工されたデータを必要に応じて外部の機関に転送する外部転送手段を備えた構成を有している。
【００１２】
この構成により、外部機関は蓄積または加工されたデータの提供を受けることができる。
【００１３】
また、本発明の健康学習支援システムは、検査手段は、蓄積手段に蓄積されたデータまたは加工手段で加工されたデータと予め定められたデータとの比較を行う構成を有している。
【００１４】
この構成により、蓄積または加工されたデータが閾値などの予め定められたデータとの比較によって検査される。
【００１５】
さらに、本発明の健康学習支援システムは、利用者の学習支援を行う健康増進事業者サーバと、健康増進事業者サーバとは異なる場所で利用者が所有する健康に関するデータを入力する端末手段とからなり、健康増進事業者サーバは、端末手段から入力された健康に関するデータを通信ネットワークを介して受信する受信手段と、受信手段で受信されたデータを蓄積する蓄積手段と、蓄積手段に蓄積されたデータを加工する加工手段と、蓄積手段に蓄積されたデータまたは加工手段で加工されたデータに基づいて利用者の健康状態を検査する検査手段と、利用者の健康状態に応じて健康に関する健康コンテンツを作成するコンテンツ作成手段と、コンテンツ作成手段で作成された健康コンテンツに対する利用者の利用状況を調査する利用状況調査手段と、コンテンツ作成手段で作成された健康コンテンツを利用者に通信ネットワークを介して送信する送信手段とを備えた構成を有している。
【００１６】
この構成により、利用者の健康状態、ライフスタイル、嗜好、願望、学習意欲などに基づいた最適なコンテンツが健康増進事業者サーバで作成され、利用者に提供できる。
【００１７】
また、本発明の健康学習支援システムは、健康増進事業者サーバは、利用者が健康コンテンツを実行する際に健康関連事業機関の情報が参考になる場合に、検査手段での検査結果を健康関連事業機関システムに送信する健康関連事業機関送信手段を備えた構成を有している。
【００１８】
この構成により、利用者が提供されたコンテンツを実行する際に薬局やトレーニングセンターなどの健康関連事業機関の情報が参考になる場合に、健康増進事業者は、検査手段での検査結果を健康関連事業機関に提供できる。
【００１９】
また、本発明の健康学習支援システムは、蓄積手段に蓄積されたデータまたは加工手段で加工されたデータを必要に応じて外部機関サーバに転送する外部転送手段を備えた構成を有している。
【００２０】
この構成により、蓄積または加工されたデータを病院などの医療機関に転送できる。
【発明の効果】
【００２１】
本発明の健康学習支援システムは、利用者が所有する端末より入力された健康に関するデータを通信ネットワークを介して受信する受信手段と、受信手段で受信されたデータを蓄積する蓄積手段と、蓄積手段に蓄積されたデータを加工する加工手段と、蓄積手段に蓄積されたデータまたは加工手段で加工されたデータに基づいて利用者の健康状態を検査する検査手段と、利用者の健康状態に応じて健康に関する健康コンテンツを作成するコンテンツ作成手段と、コンテンツ作成手段で作成された健康コンテンツに対する利用者の利用状況を調査する利用状況調査手段と、コンテンツ作成手段で作成された健康コンテンツを利用者に通信ネットワークを介して送信する送信手段とを備えたことにより、利用者の健康状態を検査し、利用者の健康状態、ライフスタイル、嗜好、願望などに応じて健康増進、健康回復、体力向上などに関するコンテンツや利用者の健康学習の意欲に応じて自己学習に関するコンテンツを作成し、利用者に提供すると共に、健康に関する相談や支援が行なえることのできる健康学習支援システムを提供することができるものである。
【発明を実施するための最良の形態】
【００２２】
以下、本発明の実施の形態の健康学習支援システムについて、図面を用いて説明する。
【００２３】
（実施の形態１）
図１は、本発明の実施の形態１における健康学習支援システムを示す概念図である。
【００２４】
図１において、本実施の形態の健康学習支援システムは、利用者１が所有する利用者端末２と、健康増進事業、診断・健診事業、健康増進施設の提供、研究事業などを行なう健康増進事業者の健康増進事業者サーバ３と、放送ソフトを制作し、地上デジタルテレビ放送として放送する通信事業者の通信事業者システム４と、放送ソフトと連携または独立したデータ放送を制作するプラットフォームセンタのＴＶ向通信ＨＴＭＬサイト５と、健康増進、健康回復、体力向上、健康学習などに役立つ商品、情報、サービスなどを製造販売する健康関連事業者の健康関連事業者サーバ６と、予防、診断、治療などを施す医療機関の医療機関サーバ７や介護機関の介護機関サーバ８と、健康、医療、福祉などの行政を担当する厚生労働省や地方自治体の厚労省自治体サーバ９とで構成されている。
【００２５】
これらの端末やサーバは、地上デジタルテレビ放送または通信ネットワーク１０を介して双方向通信可能に接続されている。
【００２６】
利用者１が所有する利用者端末２は、デジタルテレビ２１、パソコン２２、ファクシミリ２３、携帯電話２４、通信型カーナビゲーション２５など双方向通信機能を有する機器である。
【００２７】
例えば、デジタルテレビ２１は、通信事業者システム４より送出された放送電波を放送衛星（図示せず）などを介して受信すると共に、パソコン２２やファクシミリ２３と同様に電話回線に接続され通信ネットワーク１０に接続されている。また、携帯電話２４や通信型カーナビゲーション２５も同様に、通信基地局（図示せず）や通信衛星（図示せず）を用いて通信ネットワーク１０に接続されている。
【００２８】
健康増進事業者は、具体的には利用者１の健康増進、健康回復、体力向上、健康学習などを支援するコンテンツの提供、人間ドック、健康診断、健診後のフォロー、スポーツ施設の運営、健康セミナー、健康相談、研究事業などを行なう事業者で、健康増進事業者３の所有する健康増進事業者サーバ３は、通信ネットワーク１０に接続されており、利用者１が所有する利用者端末２と双方向通信が可能である。
【００２９】
通信事業者システム４は、テレビ放送番組や協賛企業のコマーシャルなどの放送ソフトを制作する制作システムと、制作された放送ソフトを送出するデータ放送送出システムとデータ放送Ｗｅｂシステムとで構成され、データ放送送出システムより送出された放送電波は放送衛星（図示せず）などを介して利用者１が所有するデジタルテレビ２１で受信される。またデータ放送Ｗｅｂシステムは、通信ネットワーク１０に接続されており、利用者１が所有する利用者端末２と双方向通信が可能である。
【００３０】
プラットフォームセンタは、通信事業者システム４より放送される放送ソフトと連携または独立したデータ放送を健康増進事業者などの依頼によりまたは自主的に制作し、プラットフォームセンタ内の記述言語ＨＴＭＬを用いて処理するＴＶ向通信ＨＴＭＬサイト５は、通信ネットワーク１０に接続されており、利用者１が所有するデジタルテレビ２１と双方向通信が可能である。本実施の形態における言語はＨＴＭＬを用いたが、言語はそれに限定されるものではない。
【００３１】
健康関連事業者は、健康増進、健康回復、体力向、健康学習などに役立つ商品、情報、サービスなどが提供できる個別の専門事業者で、例えば、医薬品、血圧計、歩数計などに関する商品や情報を提供する薬事業者、健康食品、成人病食、サプリメント、健康飲料などに関する商品や情報を提供する食品業者、健康下着、無圧布団、健康枕などに関する商品や情報を提供する衣料業者、健康書、医学書、健康レシピ、ＤＶＤなどに関する商品や情報を提供する出版業者、健康器具、健康クラブなどに関する商品や情報を提供する健康器具業者、温泉湯治、医食同源ツアー、リフレッシュ旅行などに関する商品や情報を提供する旅行業者、健康増進事業者や医療機関などの依頼によりコンテンツを制作、提供するコンテンツ業者などがある。これらの専門事業者の所有する健康関連事業者サーバ６は、通信ネットワーク１０に接続されている。
【００３２】
また、医療機関、介護機関や厚生労働省、自治体がそれぞれ所有する医療機関サーバ７、介護機関サーバ８や厚生省自治体サーバ９は、通信ネットワーク１０に接続されている。
【００３３】
なお、本発明に係わる利用者１とは、例えば、生活習慣病をとってみると、すでに生活習慣病に罹っており疾病域に属する人と境界域に属する人と健康な正常域に属する人に３区分できる。また、介護という面からみると、すでに介護を必要としている介護域に属する人と現在は介護を殆んど必要としないが加齢などにともない介護を必要とする可能性が高い予防域に属する人と健康な正常域に属する人に３区分できる。上述の区分で生活習慣病であれば境界域に属する人と健康な正常域に属する人、また介護であれば予防域に属する人と健康な正常域に属する人で、かつ健康増進事業者との間でコンテンツの授受契約を締結している利用者、または健康増進事業者との間でコンテンツの授受契約を締結している団体の構成員、例えば団体契約している企業の健康保険組合の組合員などを想定している。
【００３４】
図２は、本発明の実施の形態１における健康学習支援システムのブロック図である。
【００３５】
図２において、本実施の形態の健康学習支援システムは、健康増進事業者サーバ３は、利用者１が所有する利用者端末２から送信された健康に関するデータを通信ネットワーク１０を介して送受信部３１で受信し、受信したデータを蓄積する蓄積データベース３２と、蓄積データベース３２に蓄積されたデータを演算加工する演算加工部３３と、演算加工部３３で加工されたデータを蓄積する加工データベース３４と、蓄積データベース３２または加工データベース３４に蓄積されたデータに基づいて利用者１の健康状態、すなわち生活習慣病の疾病域に属するか境界域に属するか正常域に属するか、または介護の介護域に属するか予防域に属するか正常域に属するかを検査する検査部３５と、利用者１から利用者１のライフスタイル、嗜好、願望、健康学習意欲などと健康増進事業者サーバ３から提供されたコンテンツの利用状況調査や意見収集などをする利用者状況調査部４２と、検査部３５での検査結果から得られた利用者１の健康状態と、利用者状況調査部４２での結果から得られた利用者１のライフスタイル、嗜好、願望、健康学習意欲などに基づいて生活習慣を改善するような行動変容を促す健康維持、健康回復、体力向上、健康学習、イベントなどに関するコンテンツを、専門家が作成し、利用者１に通信ネットワーク１０を介して提供するコンテンツ提供部３８とを有している。
【００３６】
また、健康増進事業者サーバ３の外部転送部４３は、蓄積データベース３２または加工データベース３４に蓄積されたデータを送受信部３１より、通信ネットワーク１０を介して外部の医療機関サーバ１２、外部の介護機関サーバ８、企業の健康保険組合や薬局などの健康関連事業機関システム１３に送信する機能を有している。
【００３７】
また、健康増進事業者サーバ３の検査部３５は、糖尿病、高脂血症、肥満などの各生活習慣病の疾病域に属するか境界域に属するか正常域に属するか、或いは介護の介護域に属するか予防域に属するか正常域に属するかを判断するための予め定められた閾値などを蓄積する基準値データベース３６と、蓄積データベース３２または加工データベース３４に蓄積された利用者１のデータと基準値データベース３６の閾値とを比較して利用者１が生活習慣病の疾病域に属するか境界域に属するか正常域に属するか、或いは介護の介護域に属するか予防域に属するか正常域に属するかを検査する比較検査部３７とを有している。
【００３８】
また、健康増進事業者サーバ３のコンテンツ提供部３８は、利用者１に提供する健康増進、健康回復、体力向上などに関するコンテンツを蓄積したコンテンツデータベース３９と、健康学習に関するコンテンツを蓄積した教育データベース４０と、比較検査部３７で検査された利用者１の検査結果と、蓄積データベース３２と加工データベース３４に蓄積された利用者１のデータと、利用者状況調査部４２で調査された利用者１のデータとに基づいて、コンテンツデータベース３９と教育データベース４０より利用者１の健康状態、ライフスタイル、嗜好、願望、学習意欲などに基づいて適切なコンテンツを専門家が作成するコンテンツ作成部４１とを有している。例えば、コンテンツデータベース３９と教育データベース４０には、生活習慣病のひとつである糖尿病の境界域に属する利用者１が疾病域にならないため、症状の進行を遅らせるためおよび正常域の健康体に戻るためにはどのようにすべきかを具体的に、例えば１日に摂取すべきエネルギー量、そのエネルギー量を摂取するための多数の献立と食材、また運動の種類、その運動に必要な器具、その運動によるエネルギー消費量、また睡眠や旅行などの休養の種類とそのエネルギー消費量、また生活習慣病の知識、予防知識、家族の心構え、また生活習慣病に関する統計データなどの多種多様のデータや各種演算のための式、また利用者１に対して提案すべきコンテンツを作成する文例や語彙、さらにはコンテンツについて利用者１に意見を求めるための多数の質問項目などのデータが蓄積されている。また、医療機関，介護機関，厚労省自治体などで行なわれる健診、講演会、セミナー、イベントなどデータや案内情報が蓄積されている。
【００３９】
なお、健康増進事業者は、利用者１に対して適切なコンテンツを提供するため、管理栄養士、栄養士、糖尿病療養指導士、保健士、看護士、運動トレーナー、理学療養指導士など各分野の専門家を配置していても良い。
【００４０】
以上のように構成された本発明の健康学習支援システムについて、図３に示すフローチャートを用いて利用者１へのコンテンツ提供について説明する。
【００４１】
なお、本実施の説明では、利用者１の使用する利用者端末２は、電話回線に接続されたデジタルテレビ２１であるとし、生活習慣病について説明する。
【００４２】
まず、利用者１は、自宅などで自分の都合の良い時間に、デジタルテレビ放送の視聴を開始し（Ｓ０１）、リモコンを操作してメニュー画面(ジャンル別サイト)を呼び出し、健康関連サイトの中から健康増進事業者サーバ３が提供するサイトを選択する（Ｓ０２）。
【００４３】
次に、リモコンを操作して問診画面を選択し（Ｓ０３）、利用者の氏名、年齢、性別、住所、メールアドレス、体重、身長など利用者属性データと各問診の回答をリモコンを操作してデータ入力する（Ｓ０４）。同様に、リモコンを操作して健康診断画面を選択し（Ｓ０５）、利用者の血圧、体脂肪、脈拍数、血糖値などの健康診断項目毎に最新の数値をわかる範囲でリモコンを操作してデータ入力する（Ｓ０６）。なお、問診の回答と健康診断の回答の両方があることが望ましいが問診の回答のみでもよい。
【００４４】
次に、データ入力が終了したら入力内容を確認してリモコンを操作してデータ送信を行なう（Ｓ０７）。送信されたデータは、通信ネットワーク１０を介して健康増進事業者サーバ３の送受信部３１で受信される。健康増進事業者サーバ３の送受信部３１で受信されたデータは、蓄積データベース３２に、利用者１毎に、データ作成日を付与して蓄積される（Ｓ０８）。
【００４５】
次に、健康診断項目毎に基準値データベース３６の閾値と比較検査部３７で比較し（Ｓ０９）、健康診断項目毎に異常の有無、異常が有る場合には異常の度合いが判定され、総合的に生活習慣病の疾病域に属するか境界域に属するか正常域に属するかが判定される（Ｓ１０）。例えば、利用者１が年齢５０歳の男性で身長１６８ｃｍ、体重６０ｋｇ、血糖値１０３、ＨＡ１ｃ５．２である場合は、血糖値の閾値は７０〜１０９、ＨＡ１ｃの閾値は４．３〜５．８であるから、この利用者１の血糖値もＨＡ１ｃの値も範囲内にあるので、正常域に属すると判断され、蓄積データベース３２に蓄積される。
【００４６】
判定の結果、生活習慣病の疾病域に属する利用者１の場合（Ｓ１０の疾病域に属する）には、判定結果の通知と外部の医療機関を紹介して（Ｓ１１）処理を終了する。
【００４７】
判定の結果、生活習慣病の正常域または境界域に属する利用者１の場合（Ｓ１０の正常域または境界域に属する）には、この利用者１の過去の健康診断に関するデータが蓄積データベース３２に蓄積されているか否かとこの利用者１の過去の利用者状況調査に関するデータが利用者状況調査部４２で調査されているか否かを検索して調べる（Ｓ１２）。
【００４８】
検索して調べた結果、該当するデータがある場合（Ｓ１２のＹＥＳ）には、データの抽出を行なう（Ｓ１３）。
【００４９】
次に、問診データ、健康診断データと過去のデータに基づいてコンテンツデータベース３９と教育データベース４０とを参酌して、コンテンツ作成部４１で利用者１の健康状態、ライフスタイル、嗜好、願望、学習意欲などに基づいた適切なコンテンツを専門家が作成し（Ｓ１４）、生活習慣病の正常域に属していること或いは境界域に属していることの結果通知と作成したコンテンツを送受信部３１より通信ネットワーク１０を介して利用者１の利用者端末２に送信すると共に、蓄積データベース３２に利用者１の情報として蓄積する（Ｓ１５）。なお、Ｓ１２でデータがなかった場合（Ｓ１２のＮＯ）には、得られた問診データと健康診断データに基づいてコンテンツデータベース３９と教育データベース４０とを参酌して、コンテンツ作成部４１で利用者１の健康状態、ライフスタイル、嗜好、願望、学習意欲などに基づいた適切なコンテンツを作成する（Ｓ１４）。
【００５０】
次に、利用者１は、自宅などで自分の都合の良い時間に、デジタルテレビ２１で健康増進事業者３より送られてきたコンテンツの内容を確認し、その内容に基づいて実行する（Ｓ１６）。なお、自宅のデジタルテレビ２１でコンテンツの内容をみるため、現在の健康状態について家族にも理解してもらえ、今後のライフスタイルや食事内容などに関して支援や協力が受けやすくなる。また、健康増進事業者より提案されたコンテンツについて理解できない部分が有る場合には、デジタルテレビ２１の双方向通信機能を用いて容易に問い合わせすることもできる。
【００５１】
次に、コンテンツ提供から３ヶ月あるいは６ヶ月のように所定の期間経過後に、利用者状況調査部４２で、利用者１の所有するデジタルテレビ２１を介して利用状況調査を行なう（Ｓ１７）。
【００５２】
利用状況調査の内容は、調査結果に基づいて、利用者１の健康状態の変化、ライフスタイルや嗜好などの行動変化および願望や学習意欲などの意識変化が把握でき、次のより適切な新しいコンテンツ作成に反映できるようなものが望ましく、例えば、体重や血圧の変化、また生活習慣改善のための行動が実行できたか、実行できなければ何が問題か、食事の献立か材料の問題か、運動することが問題か、運動内容が問題か、また生活習慣病予防のための解決策として他に希望はないかなどを質疑応答形式やアンケート形式とするのが望ましい。なお、図３のＳ０２では健康増進事業者サーバ３が提供するサイトを利用者が主体的に選択する場合について説明したが、コンテンツが必然的に選択される場合もある。
【００５３】
図４に、例えば、生活習慣病の境界域に属する利用者１に対する質疑応答の内容の構成を示す。
【００５４】
図４に示すように、最初に「解決策をどの程度実行できたか」を質問し、利用者１は該当するランクをリモコンを操作して選択する。例えば、選択したランクが「ｂ．まあまあ実行できた」であった場合は、２番目以降の質問が画面に表示され、各質問項目に対してリモコンを操作して択一回答を行なう。
【００５５】
利用者１はデジタルテレビ２１の画面をみながら画面指示に従ってリモコンを操作して回答を入力する。回答のデータ入力が終了したら入力内容を確認し、リモコンを操作してデータ送信を行なう。送信されたデータは、通信ネットワーク１０を介して健康増進事業者サーバ３の送受信部３１を経由して利用者状況調査部４２に送信され、蓄積データベース３２に蓄積されデータベースの更新がなされる。なお、利用者１の所有するデジタルテレビ２１を用いて利用状況調査の回答がない場合には、パソコン２２やファクシミリ２３など他の利用者端末２を用いて、他の利用者端末２またはデジタルテレビ２１での回答を依頼することもできる。
【００５６】
なお、上述では生活習慣改善のための利用者１の行動変容についての調査の例を示したが、利用者１の健康学習の面より調査を行なう場合には、健康、病気、生活などに関する設問をクイズ形式で提供し、回答を得ることによって教育学習の効果を評価することもできる。
【００５７】
また、利用者１の日常生活における充実感や満足感を数値化し、その結果を利用することにより利用者１が日常生活における充実感や満足度を得られたかどうかが判断できる。すなわち健康増進事業者サーバ３より提供したコンテンツに対する利用者１の評価を問うこともできるし、ひいてはより内容の充実したコンテンツ作成に繋がることになる。
【００５８】
利用状況調査の結果、対応策が必要な場合（Ｓ１８のＹＥＳ）には、利用状況調査結果の内容を反映して、再度、より適切なコンテンツまたはよりレベルの高いコンテンツを作成し、提供する。利用者１が納得して実行できると判断するまで、Ｓ１４からのステップを繰り返す。利用状況調査の結果、対応策が必要でない場合（Ｓ１８のＹＥＳ）には、処理を終了する。
【００５９】
ところで、生活習慣病の境界域または正常域に属する利用者１が健康増進、健康回復、体力向上、健康学習の観点から、薬事業者、食品業者、衣料業者、出版業者、健康器具業者、旅行業者など他の健康関連事業者の情報提供が必要な場合は、利用者１の了解を得て、利用者１のデータを外部転送部４３より送受信部３１を介して他の健康関連事業者サーバ６に送信して、例えば生活習慣病の境界域に属する利用者１に有効な情報（運動器具情報、低カロリー食材情報、献立情報、温泉情報など）を、他の健康関連事業者サーバ６から入手して利用者１にコンテンツの一環として提供することもできる。
【００６０】
また、自治体などが行なう定期健康診断の案内、健康セミナーの案内やスポーツイベントなどの情報も提供することもできる。
【００６１】
以上のように、本実施の形態の健康学習支援システムによれば、多くの種類のデータベースを有するコンテンツデータベース３９と教育データベース４０に基づいて適切なコンテンツを作成するコンテンツ作成部４１で作成されたコンテンツが利用者１に提供され、しかも利用者１が実行できるようになるまで、さらに利用者１の日常生活における充実感や満足感を向上できるようになるまで、利用者１と利用者状況調査部４２との間で質疑応答やアンケートが繰り返し行われことにより、従来とは異なり、提供されるコンテンツは一般的なものでも一方的なものでもなく、利用者１の健康状態、ライフスタイル、嗜好、願望、学習意欲などを考慮した適切なコンテンツが提供できる。すなわち、利用者1は氾濫している各種の情報のなかから自己の知識で情報を選択する必要がなく、自己の健康管理を健康増進事業者に全面的に安心して委ねることができる。
【００６２】
また、利用者１の満足するコンテンツを提供できても、転勤や不慮の事故などにより、利用者１がどうしても実行できない場合や提供されたコンテンツに基づいた生活習慣を実行しても十分な効果が得られない場合もあり得る。このような場合には、健康増進事業者は適切な外部の医療機関の紹介を、送受信部３１を介して利用者１に通知することができる。この時は、健康増進事業者サーバ３の蓄積データベース３２に蓄積されたその利用者１の過去のデータは、利用者１に紹介した外部の医療機関サーバ７に外部転送部４３を介して送受信部３１から送信される。したがって、利用者１は紹介された外部の医療機関に出向いても新たな検査を受ける必要はなくなる。
【００６３】
また、利用者１の健康増進、健康回復、体力向上、健康学習の観点から、他の健康関連事業者の情報提供が必要と健康増進事業者において考えられる場合は、有効な情報（運動器具情報、低カロリー食材情報、献立情報、温泉情報など）を、利用者端末２に送信すると共に、他の健康関連事業者サーバ６から入手して利用者端末２に送信することも可能である。
【００６４】
また、蓄積データベース３２のデータを演算加工部３３で加工して加工データベース３４に蓄積し、その加工されたデータを用いて、例えば、利用者１の血液データ全てについて毎年の平均値を演算して蓄積しておけば、利用者１の血糖値の過去１年間の平均値を考慮する必要がある場合には、加工データベース３４のデータを考慮したコンテンツの作成や生活習慣病の境界域に属する利用者１のデータを集合として、年齢、性別、生活習慣などの条件に基づいて、演算加工部３３で演算加工分析したデータを加工データベース３４に蓄積しておくことにより、自治体や外部の医療機関の要請によりその加工データを一般データとして提供する。
【００６５】
さらに、政府、自治体や研究機関が糖尿病などの日本人の生活習慣病予備軍の傾向を分析し予防対策をする政策や研究に役立てることができる。
【００６６】
さらに、健康増進事業者サーバ３が利用者１の健康管理の代行をするような機能を有しており、利用者１を数多く集めることによって、いろいろな生活習慣病についての多くのデータを集めることができ、その結果これら生活習慣病の分析データも多く得られ、生活習慣病に対する予防の方法も見出せる。
【００６７】
なお、本実施の形態では、利用者１が生活習慣病の境界域または正常域に属する場合について説明したが、利用者１が介護の予防域または正常域に属する場合であっても同様に利用者一人一人のライフスタイル、嗜好、願望、学習意欲などに基づいて介護状況に関するコンテンツを、利用者端末２に通信ネットワーク１０を介して提供することができる。
【００６８】
また、本実施の形態では、双方向通信機能を有する端末やサーバ等を用いた場合について説明したが、必ずしも一台で双方方向通信機能を有する必要は無く単方向の通信機能を持つ端末やサーバの組み合わせにより構成してもよい。
【００６９】
（実施の形態２）
図５は、本発明の健康学習支援システムの実施の形態２を示すブロック図であり、図２と同じ構成には同一番号を付してある。尚、本実施の形態では、利用者１は、生活習慣病の境界域または正常域に属するとして説明する。
【００７０】
図５は、本発明の健康学習支援システムのビジネス構成を示しており、健康増進事業者の日常健康データベース６１は、図２で示した蓄積データベース３２と加工データベース３４からなり、実施の形態１で説明したような利用者１の各種データが蓄積されている。
【００７１】
コンテンツデータベース３９は、実施の形態１で説明したような利用者１に提供する健康増進、健康回復、体力向上などの健康に関するコンテンツが蓄積されている。教育データベース４０は、実施の形態１で説明したような利用者１に提供する各種の健康学習に関するコンテンツが蓄積されている。
【００７２】
健康関連事業機関サーバ１３の健診データベース６６には、健康関連事業機関が定期的な健康診断で測定した生活習慣病の境界域に属する利用者一人一人のデータが蓄積されている。
【００７３】
本実施の形態では、健康関連事業機関が保険者であるとして説明する。
【００７４】
このような本発明の健康学習支援システムによれば、健康増進事業者は利用者１から日常の健康管理サービスを委託され、利用者１は利用者端末２により、実施の形態１で説明したように、健康増進事業者サーバ３が作成した利用者１の健康状態、ライフスタイル、嗜好、願望、健康学習意欲などに応じた適切なコンテンツ６２の提供を受けることができ、利用者１はこれに対して対価６３を支払うことになる。
【００７５】
また、これによって、健康増進事業者サーバ３は、多くの利用者の健康状態や健康に対する意識や各種生活習慣病に関するデータなどを蓄積することができる。
【００７６】
健康増進事業者は健康増進事業者サーバ３で、保険者サーバ６４からコンテンツ送信要求信号を受け、被保険者である生活習慣病の境界域に属する利用者１すなわち要管理者の要管理者端末６５に対して、実施の形態１で説明したような健康状態、ライフスタイル、嗜好、願望、健康学習意欲などに応じた適切なコンテンツ６７の提供を行う。また、要管理者は要管理者端末６５からコンテンツ６７の送信結果のフィードバックデータ６８を保険者サーバ６４に対して送信する。
【００７７】
この場合、健康関連事業機関は、要管理者に対する生活習慣病改善に関するコンテンツ６７の提供と、この結果のフィードバック６８に関して、健康増進事業者に対して対価６９を支払い、一方、要管理者は保険者６４に、コンテンツ６７の提供に対する対価を含む保険料７０を支払うことになる。
【００７８】
また、これによって、健康増進事業者サーバ３に、健康関連事業機関システム１３が収集した要管理者の健診データ７１や、健康増進事業者サーバ３が送信した生活習慣に関する多くのデータ７２を蓄積することができる。
【００７９】
さらに、健康増進事業者は、要管理者に提供したコンテンツ６７に関するノウハウを対価を得て他地域に展開することにより、他地域の生活習慣病の改善を図ることができる。
【００８０】
また、健康増進事業者が医薬業者、食品業者、出版業者、健康器具業者、介護用品業者などの健康関連事業者と提携し、健康増進事業者自らが中心となって利用者１にこれらの商品や機器を斡旋、紹介または代行販売７３することにより、健康関連事業者の販売増に寄与でき、健康関連事業者より対価７４を得ることもできる。
【００８１】
以上のように、本実施の形態の健康学習支援システムによれば、利用者１の所有するデジタルテレビなどの端末を通信ネットワークを介して双方向通信可能に接続することによって、利用者１の健康状態を検査し、利用者１の健康増進、健康回復、体力向上、健康学習などに関するコンテンツを、専門家が決定し、利用者１に対して満足できるコンテンツとして提供できる。
【００８２】
また、健康関連事業機関に対しては、利用者１に対するサービスを行う専門家を多く抱えなくてもよいように、専門家の育成、派遣、測定データの蓄積、分析などの支援も行うことができる。
【００８３】
また、日常健康データベース６１、コンテンツデータベース３９および教育データベース４０には非常に多くのデータおよび多くの利用者のデータが集まり、疫学データベースとして利用できるというさらなる効果がある（図２）。
【００８４】
また、本実施の形態では、外部機関として健康関連事業機関を例に説明したが、その他に、フィットネスクラブ、食事宅配業者、各種専門学校などと連携して、体力づくりのプログラムを提案したり、利用者の健康状態に対応した食事プログラムを宅配させたり、公的資格の取得支援などにも展開することができる。
【００８５】
なお、本実施の形態では、利用者１が生活習慣病の境界域または正常域に属する場合について説明したが、利用者１が介護の予防域または正常域に属する場合も同様に、健康増進事業者サーバ３は、利用者のライフスタイル、嗜好、願望、学習意欲などに基づいて健康維持、健康回復、体力向上、健康学習などに関するコンテンツを作成し、利用者１に対して通信ネットワーク１０、利用者端末２を介して提供することができる。
【産業上の利用可能性】
【００８６】
以上のように、本発明の健康学習支援システムは、利用者一人一人の健康状態、ライフスタイル、嗜好、願望、学習意欲などに応じた適切なコンテンツが提供され、これを使って利用者の日常の行動変容が促されることによって、利用者の健康増進、健康回復、体力向上、健康学習による正しい健康知識を習得させる健康学習支援システムとして有用である。
【図面の簡単な説明】
【００８７】
【図１】本発明の実施の形態における健康学習支援システムの示す概念図
【図２】本発明の実施の形態１における健康学習支援システムを示すブロック図
【図３】本発明の実施の形態１における健康学習支援システムの動作説明のためのフローチャート
【図４】本発明の実施の形態１における健康学習支援システムの利用者状況調査部での質疑応答の一例を示す図
【図５】本発明の実施の形態２における健康学習支援システムを示すブロック図
【符号の説明】
【００８８】
１    利用者
２    利用者端末
３    健康増進事業者サーバ
４    通信事業者システム
５    ＴＶ向通信ＨＴＭＬサイト
６    健康関連事業者サーバ
７    医療機関サーバ
８    介護機関サーバ
９    厚労省自治体サーバ
１０    通信ネットワーク
１３    健康関連事業機関システム
３１    送受信部
３２    蓄積データベース
３３    演算加工部
３４    加工データベース
３５    検査部
３６    基準値データベース
３７    比較検査部
３８    コンテンツ提供部
３９    コンテンツデータベース
４０    教育データベース
４１    コンテンツ作成部
４２    利用者状況調査部
４３    外部転送部
６１    日常健康データベース
６４    保険者サーバ
６５    要管理者端末
６６    健診データベース
【図１】
2006308706.tif 000003
【図２】
2006308706.tif 000004
【図３】
2006308706.tif 000005
【図４】
2006308706.tif 000006
【図５】
2006308706.tif 000007